(57)【要約】【課題】  ＳＩＭホルダーに装着されたＳＩＭが、近接型の非接触通信でデータ通信を行っていることをユーザが認識できるＳＩＭホルダーを提供する。【解決手段】  ＳＩＭホルダー１に装着されるＳＩＭ２はホルダーアンテナ１４と電気的に結合しており、電波検知手段１３は、ホルダーアンテナ１４を用いて近接型の非接触通信の電波を選択し受信することで、ＳＩＭ２が近接型の非接触通信でデータ通信を行っていることを検出する。コントローラ１０は、電波検知手段１３からＳＩＭ２が近接型の非接触通信でデータ通信を行っていること示す信号が入力されると、非接触動作通知手段１５（ＬＥＤやスピーカ）を一定時間作動させ、ユーザにＳＩＭ２が近接型の非接触通信でデータ通信を行っていることを通知する。【選択図】      図３
2007072706.tif 000002
【特許請求の範囲】
【請求項１】
少なくとも非接触通信の機能を有するＩＣチップを実装したＳＩＭを、着脱可能な状態で装着し使用するＳＩＭホルダーにおいて、前記ＳＩＭホルダーは、前記ＳＩＭホルダーに内蔵された前記ＳＩＭが非接触通信で動作していることを検知する非接触動作検知手段と、前記ＳＩＭが非接触通信で動作していることを前記ＳＩＭホルダーの所持者に通知するための手段である非接触動作通知手段を備え、前記ＳＩＭホルダーに備えられた前記非接触動作検知手段は、前記ＳＩＭが非接触通信で動作していることを検知したときに前記非接触動作通知手段を一定時間作動させ、前記ＳＩＭが非接触通信で動作していることを前記所持者に通知することを特徴とするＳＩＭホルダー。
【請求項２】
請求項１に記載のＳＩＭホルダーにおいて、前記ＳＩＭホルダーに備えられた前記非接触動作検知手段は、電波を受信するアンテナであるホルダーアンテナを有し、前記ホルダーアンテナで非接触通信の周波数帯の電波を受信することで、前記ＳＩＭが非接触通信で動作していることを検知する手段であることを特徴とするＳＩＭホルダー。
【請求項３】
請求項２に記載のＳＩＭホルダーにおいて、前記ＳＩＭホルダーに装着される前記ＳＩＭは、前記ホルダーアンテナと電気的に接続するためのカード端子を備えていることを特徴とするＳＩＭホルダー。
【請求項４】
請求項１から請求項３のいずれかに記載のＳＩＭホルダーにおいて、前記ＳＩＭホルダーは前記ＳＩＭが装着されたことを検知するＳＩＭ検知手段を備え、前記非接触動作検知手段は、前記ＳＩＭ検知手段が前記ＳＩＭを検知している状態で、前記ＳＩＭが非接触通信で動作していることを検知した場合に前記非接触動作通知手段を作動させること特徴とするＳＩＭホルダー。
【請求項５】
請求項１から請求項４のいずれかに記載のＳＩＭホルダーにおいて、前記ＳＩＭホルダーに備えられた前記非接触動作通知手段の一つは、ＬＥＤもしくは液晶ディスプレイであることを特徴とするＳＩＭホルダー。
【請求項６】
請求項１から請求項５のいずれかに記載のＳＩＭホルダーにおいて、前記ＳＩＭホルダーに備えられた前記非接触動作通知手段の一つは、スピーカであることを特徴とするＳＩＭホルダー。
【請求項７】
請求項１から請求項６のいずれかに記載のＳＩＭホルダーにおいて、前記ＳＩＭホルダーに備えられた前記非接触動作通知手段の一つは、前記ＳＩＭホルダーを振動させる手段であることを特徴とするＳＩＭホルダー。
【発明の詳細な説明】
【技術分野】
【０００１】
本発明は、ＵＩＭカードとも称されるＳＩＭを着脱可能に装着し、ＳＩＭと接続するアンテナを備えた携帯可能な情報端末であるＳＩＭホルダーに関する。
【背景技術】
【０００２】
ＩＣカード、ＳＩＭ（Subscriber Identity Module）またはＵＩＭ（User Identity Module）などのカード型情報媒体は、ネットワークのアクセス管理やドアゲートシステムなどにおいて使用されつつある。本出願人は、カード型情報媒体、取り分けＳＩＭの利便性を高めるべく、接触通信および近接型（通信距離が１０ｃｍ程度）の非接触通信の機能（例えば、ＩＳＯ１４４４３に準拠した非接触通信）を備えたＳＩＭを装着し利用するＳＩＭホルダーを、特許文献１、２および３で開示している。
【０００３】
特許文献１で開示しているＳＩＭホルダーでは、ＳＩＭ自体は近接型の非接触通信で使用するアンテナを有さず、ＳＩＭが近接型の非接触通信するときに使用するアンテナをＳＩＭホルダーは備え、ＳＩＭホルダーに備えられたアンテナとＳＩＭホルダーに装着されたＳＩＭとが電気的に接触することで、ＳＩＭが近接型の非接触通信でデータ通信可能となるＳＩＭホルダーである。
【０００４】
更に、特許文献２で開示しているＳＩＭホルダーは、特許文献１で開示しているＳＩＭホルダーに、パーソナルコンピュータとデータ通信するためのＵＳＢインターフェースを備えたＳＩＭホルダーである。また、特許文献３で開示しているＳＩＭホルダーは、特許文献１または特許文献２で開示しているＳＩＭホルダーに、指紋認証で使用される指紋センサを備えたＳＩＭホルダーである。
【０００５】
しかしながら、特許文献１から特許文献３に記載されたＳＩＭホルダーにおいては、近接型の非接触通信でデータ通信を行っていることを、あるいは、行いつつあることを、ＳＩＭホルダーのユーザは認識できないため、ユーザが予期しないときに近接型の非接触通信でＳＩＭが動作してしまったり、時と場合によっては、ＳＩＭホルダーに格納されたＳＩＭに不正アクセスされてしまう危険性がある。
【特許文献１】特開２００４−８６４０２号公報
【特許文献２】特開２００４−１１８７７１号公報
【特許文献３】特開２００４−２６４９１５号公報
【発明の開示】
【発明が解決しようとする課題】
【０００６】
そこで、本発明は、上述した問題を鑑みて、ＳＩＭホルダーに装着されたＳＩＭが、近接型の非接触通信でデータ通信を行っていることを、あるいは、行いつつあることを、ユーザが認識できることで、ユーザが予期しないときに近接型の非接触通信でＳＩＭが動作してしまったり、ＳＩＭホルダーに格納されたＳＩＭに不正アクセスされてしまうことを防止できるＳＩＭホルダーを提供することを目的とする。
【課題を解決するための手段】
【０００７】
上述した課題を解決する本発明は、少なくとも非接触通信の機能を有するＩＣチップを実装したＳＩＭを、着脱可能な状態で装着し使用するＳＩＭホルダーにおいて、前記ＳＩＭホルダーは、前記ＳＩＭホルダーに内蔵された前記ＳＩＭが非接触通信で動作していることを検知する非接触動作検知手段と、前記ＳＩＭが非接触通信で動作していることを前記ＳＩＭホルダーの所持者に通知するための手段である非接触動作通知手段を備え、前記ＳＩＭホルダーに備えられた前記非接触動作検知手段は、前記ＳＩＭが非接触通信で動作していることを検知したときに前記非接触動作通知手段を一定時間作動させ、前記ＳＩＭが非接触通信で動作していることを前記所持者に通知することを特徴とする。
【０００８】
好ましくは、本発明のＳＩＭホルダーに備えられた前記非接触動作検知手段は、電波を受信するアンテナであるホルダーアンテナを有し、前記ホルダーアンテナで非接触通信の周波数帯の電波を受信することで、前記ＳＩＭが非接触通信で動作していることを検知する手段であることが望ましい。また、本発明のＳＩＭホルダーに装着される前記ＳＩＭは、前記ホルダーアンテナと電気的に接続するためのカード端子を備えていることが望ましい。
【０００９】
更に、好ましくは、本発明のＳＩＭホルダーは前記ＳＩＭが装着されたことを検知するＳＩＭ検知手段を備え、前記非接触動作検知手段は、前記ＳＩＭ検知手段が前記ＳＩＭを検知している状態で、前記ＳＩＭが非接触通信で動作していることを検知した場合に前記非接触動作通知手段を作動させることが望ましい。
【００１０】
なお、本発明のＳＩＭホルダーに備えられた前記非接触動作通知手段は、ＬＥＤもしくは液晶ディスプレイなどの光学的にユーザに通知する手段、スピーカなどの音声でユーザに通知する手段、もしくは、前記ＳＩＭホルダー全体を振動させ、振動でユーザに通知する手段などが適している。
【００１１】
本発明のＳＩＭホルダーが前記非接触動作検知手段を備え、前記ＳＩＭが非接触通信で動作していることを検知した場合に前記非接触動作通知手段を作動させることで、前記非接触動作通知手段の動作（光、音または振動）で、近接型の非接触通信でデータ通信を行っていることを、あるいは、行いつつあることを、ユーザは認識でき、ユーザが予期しないときに近接型の非接触通信でＳＩＭが動作してしまったり、ＳＩＭホルダーに格納されたＳＩＭに不正アクセスされてしまうことを防止できる。
【００１２】
また、本発明のＳＩＭホルダーに備えられた前記非接触動作検知手段を、非接触通信の周波数帯の電波を前記ホルダーアンテナで受信する手段とすることで、前記ＳＩＭが非接触通信で動作していることを検知するために、前記ＳＩＭホルダーに装着される前記ＳＩＭ自体に特別な工夫を施す必要はなくなる。また、前記ＳＩＭが近接型で使用するアンテナを前記ホルダーアンテナと共有化することで、前記ＳＩＭが受信している電波そのものを検知することができる。
【００１３】
加えて、本発明のＳＩＭホルダーに前記ＳＩＭが装着されているときのみ前記非接触動作通知手段を作動させることで、ＳＩＭホルダーに前記ＳＩＭが装着されていないときに、前記非接触動作検知手段が誤動作することを防止できる。
【発明の効果】
【００１４】
上述した本発明によれば、ＳＩＭホルダー１に装着されたＳＩＭが、近接型の非接触通信でデータ通信を行っていることを、あるいは、行いつつあることを、ユーザが認識できるＳＩＭホルダーを提供でき、ユーザが予期しないときに近接型の非接触通信でＳＩＭが動作してしまったり、ＳＩＭホルダーに格納されたＳＩＭに不正アクセスされてしまうことを防止できる
【発明を実施するための最良の形態】
【００１５】
ここから、本発明係るＳＩＭホルダー１について、図を参照しながら詳細に説明する。図１は、ＳＩＭホルダー１の外観図である。図１のＳＩＭホルダー１は、挿入口１ａから挿入されたＳＩＭ２がＳＩＭホルダー１の内部に装着し、情報を光学的に表示するディスプレイである液晶ディスプレイ１ｂや、電源ＯＮ／ＯＦＦやメニューの選択・決定などの操作を行うための操作ボタン１ｃなどを備え、電子マネーやドアゲートシステム等で使用される携帯端末である。
【００１６】
なお、図１で示したＳＩＭホルダー１には、特許文献２で開示しているようにパーソナルコンピュータとデータ通信するためのＵＳＢインターフェースや、特許文献３で開示しているようにユーザの指紋情報を入力する指紋センサなどを備えることも可能である。
【００１７】
ＳＩＭホルダー１に内蔵されるＳＩＭ２は、近接型の非接触通信（例えば、ＩＳＯ／ＩＥＣ１４４４３規格に準拠した非接触通信）でデータ通信する機能を備え、ＳＩＭホルダー１には、ＳＩＭ２が近接型の非接触通信でデータ通信していることをユーザに知らせる通知ＬＥＤ１ｄとスピーカ１ｅが備えられている。
【００１８】
ＳＩＭホルダー１が近接型の非接触通信の電波を検知すると、スピーカ１ｅが音を発したり、通知ＬＥＤ１ｄが点滅／点灯することで、ユーザは音と光で、ＳＩＭ２が近接型の非接触通信でデータ通信していることを認識できる。
【００１９】
なお、ＳＩＭホルダー１が、ＳＩＭ２が近接型の非接触通信でデータ通信していることを、ユーザに通知する手段は、光や音以外で通知する手段であってもよく、ＳＩＭホルダー１は振動機構を備え、振動によってＳＩＭ２が近接型の非接触通信でデータ通信していることを、ユーザに通知してもよい。
【００２０】
図２は、図１で示したＳＩＭホルダー１に装着されるＳＩＭ２を説明する図である。図２（ａ）は、ＳＩＭ２の外観図で、ＳＩＭ２は、ＩＣカードのＩＣモジュール周辺を約１１．５ｍｍ×２５ｍｍ状に切り取った形状をしており、ＳＩＭ２の詳細な形状はＧＳＭ（Ｇlobal Ｓystem for Ｍobile communications）規格等で規格化されている。
【００２１】
図２（ａ）に示したように、ＳＩＭ２にはＩＣチップ２１がモールドされたＩＣモジュール２０が実装され、実施の形態において、ＩＣチップ２１は接触通信インターフェースと、非接触通信インターフェースの２つの通信インターフェースを備えたデュアルインターフェースＩＣカード用のＩＣチップである。加えて、ＩＣモジュール２０には、ＩＣチップ２１とリーダライタなどの外部装置とが電気的に接続し、外部装置と接触通信するために、ＩＳＯ７８１６規格に準拠した８個のカード端子２２（Ｃ１〜Ｃ８）が設けられている。
【００２２】
図２（ｂ）は、ＩＣモジュール２０でモールドされているＩＣチップ２１を説明する図である。図２（ｂ）に示したように、ＩＣチップには、接触通信用の５個のＩ／Ｏ端子２１ａと、非接触通信用の２個のＩ／Ｏ端子２１ｂが備えられている。
【００２３】
ＩＣチップの接触通信用の５個のＩ／Ｏ端子２１ａは、ＩＳＯ７８１６規格に基づき、ＩＣモジュール２０のカード端子２２とワイヤーで接続され、非接触通信用の２個のＩ／Ｏ端子２１ｂの一つはカード端子２２（Ｃ４）と、もう一つはＩ／Ｏ端子２１ｂの一つはカード端子２２（Ｃ８）とワイヤーで接続されている。
【００２４】
よって、図２（ｃ）で示したように、アンテナコイル２３の端の一つをＳＩＭ２のカード端子２２（Ｃ４）に接続し、アンテナコイル２３の端のもう一つをＳＩＭ２のカード端子２２（Ｃ８）に接続することで、ＳＩＭ２は非接触通信が可能になる。
【００２５】
図３は、図１で示したＳＩＭホルダー１において、本発明に係る機能の構成のみを示したブロック図である。実際のＳＩＭホルダー１には、特許文献３の図１で示されているように、様々な部品が実装されるが、本発明の内容を分かり易く説明するために、あえて、図３では、本発明に係る機能の構成のみを示した。
【００２６】
図３に示したように、図１のＳＩＭホルダー１には、本発明を実現するため、ＳＩＭホルダー１全体を制御するコントローラ１０と、ＳＩＭ２がＳＩＭホルダー１に装着されたことを検知するＳＩＭ検知手段１１と、ＳＩＭ２と電気的に接続し、近接型の非接触通信用の電波を検出する電波検知手段１３を備えた基板回路１２と、電波検知手段１２とＳＩＭ２とが使用するホルダーアンテナ１４、ＳＩＭ２が近接型の非接触通信でデータ通信していることをユーザに知らせるための非接触動作通知手段１５（ここでは、通知ＬＥＤ１ｄとスピーカ１ｅ）を備えている。
【００２７】
ＳＩＭホルダー１に備えられた基板回路１２は、ＳＩＭホルダー１が、ＳＩＭホルダー１に装着されるＳＩＭ２と接触通信するために設けられた回路で、装着されたＳＩＭ２のカード端子２２と電気的に接続する回路である。
【００２８】
図４は、ＳＩＭ２と基板回路１２との接続を説明する図である。図４で示したように、基板回路１２には、Ｔ１からＴ８までの８個の接点端子１２ａが設けられ、Ｔ１からＴ８までの接点端子１２ａは、ＳＩＭホルダー１に挿入され装着されたＳＩＭ２のＣ１からＣ８までのカード端子２２とそれぞれ電気的に接続する。
【００２９】
ＳＩＭ２のＩＣモジュール２０に備えられた８個のカード端子２２の中で、ＳＩＭ２の接触通信に使用される５個のカード端子２２（Ｃ１、Ｃ２、Ｃ３、Ｃ５およびＣ７の５個）と接続する接点端子１２ａ（Ｔ１、Ｔ２、Ｔ３、Ｔ５およびＴ７の５個）は、ＳＩＭ２が接触通信するときに使用される端子である。
【００３０】
ＩＣチップ２１の非接触通信用のＩ／Ｏ端子２１ｂと接続している２つのカード端子２２（Ｃ４とＣ８）と接続する２つの接点端子１２ａ（Ｔ４とＴ８）は、ＳＩＭ２が近接型の非接触通信で使用する端子で、Ｔ４とＴ８のカード端子２２には、ＳＩＭホルダー１に備えられたホルダーアンテナ１４の両端が接続されている。
【００３１】
すなわち、ＳＩＭホルダー１にＳＩＭ２が装着され、基板回路の接続端子１２ａ（Ｔ４とＴ８）がＳＩＭ２のカード端子２２（Ｃ４とＣ８）と電気的に接続すると、ＳＩＭ２のカード端子２２（Ｃ４とＣ８）はホルダーアンテナ１４の両端と電気的に接続し、ＳＩＭ２は近接型の非接触通信でデータ通信が行えるようになる。
【００３２】
本実施の形態においては、基板回路のＴ４とＴ８の接続端子１２ａの間には、ホルダーアンテナ１４を用いて近接型の非接触通信用の電波を検出し、ＳＩＭ２が近接型の非接触通信で動作していることを検出する手段である電波検知手段１３が設けられている。
【００３３】
電波検知手段１３は、図外の非接触リーダライタが発信する近接型の非接触通信用の周波数帯（ＩＳＯ／ＩＥＣ１４４４３規格ならば、１３．５６ＭＨｚ帯）の電波を選択して受信する同調回路と、同調回路で検出した電波の強さがある閾値を越えた場合に信号を出力する検波回路とから構成され、電波検知手段１３が近接型の非接触通信用の電波を検出したことを示す信号は、コントローラ１０に入力される。
【００３４】
図３のＳＩＭ検出手段１１は、ＳＩＭホルダー１にＳＩＭ２が装着されたことを検出する手段で、このＳＩＭ検出手段１１は、ＳＩＭホルダー１に設けられたリミットスイッチなどのメカニカルな手段で実現される。ＳＩＭ検出手段１１はＳＩＭ２を検出すると、ＳＩＭ２を検出した信号をコントローラ１０に入力する。
【００３５】
コントローラ１０は、ＳＩＭ検出手段１１からＳＩＭ２を検出している信号が電波検知手段１３から入力され、近接型の非接触通信用の電波を受信したことを示す信号が電波検知手段１３から入力されると、コントローラ１０は、非接触動作通知手段１５を一定時間動作させ、ユーザにＳＩＭ２が近接型の非接触通信で動作していることを通知する。
【００３６】
本実施の形態においては、ＳＩＭホルダー１は、非接触動作通知手段１５とし、通知ＬＥＤ１ｄとスピーカ１ｅを備えており、ユーザは、通知ＬＥＤ１ｄが点滅／点灯する光や、スピーカ１ｅが発する音から、ＳＩＭ２が近接型の非接触通信で動作していることを認識することができ、図外の非接触リーダライタからＳＩＭホルダー1を遠ざけたり、操作ボタン１ｃを操作するなどして、ユーザがＳＩＭ２の動作を所望していない場合は、近接型の非接触通信によりＳＩＭ２の動作を停止することができる。
【図面の簡単な説明】
【００３７】
【図１】ＳＩＭホルダーの外観図。
【図２】ＳＩＭホルダーに装着されるＳＩＭを説明する図。
【図３】ＳＩＭホルダーのブロック図。
【図４】ＳＩＭと基板回路との接続を説明する図。
【符号の説明】
【００３８】
１  ＳＩＭホルダー
１ｄ  通知ＬＥＤ、１ｅ  スピーカ
１０  コントローラ
１１  ＳＩＭ検出手段
１２  基板回路
１２ａ  接続端子
１３  電波検知手段
１４  ホルダーアンテナ
１５  非接触動作通知手段
２  ＳＩＭ
２２  カード端子
【図１】
2007072706.tif 000003
【図２】
2007072706.tif 000004
【図３】
2007072706.tif 000005
【図４】
2007072706.tif 000006